(57)【特許請求の範囲】
【請求項１】
操作部材と、該操作部材に係止されたつまみと、内部に可動接点と固定接点を収納し、外部の上面側に前記操作部材を揺動可能に軸支し該上面側に一対の溝部を設けたケースと、該ケースから外方に突出したスイッチ端子とを有するスイッチ部と、照光部と一対のランプ端子を有するランプと、前記スイッチ端子と前記一対のランプ端子を接続するプリント配線基板とを備え、前記一対のランプ端子の中間部分にはそれぞれ、クランク状に折り曲げられた折り曲げ部が設けられ、該折り曲げ部が前記ケースの上面側に設けた前記一対の溝部にそれぞれ係止して支持されて、前記照光部が前記つまみの照光表示される箇所に対向した位置に配置されるようにして、前記ランプが前記ケースの外側に取り付けられたことを特徴とする照光式スイッチ装置。
【請求項２】
前記つまみに透光部を設け、前記ランプの照光部を前記透光部の底面側の近傍に配置すると共に、前記照光部の照光で前記透光部を照光表示するようにしたことを特徴とする請求項１記載の照光式スイッチ装置。
【請求項３】
前記ケースの前記溝部が、前記ケースの側端部に設けられていることを特徴とする請求項１、又は２記載の照光式スイッチ装置。
【請求項４】
前記一対のランプ端子は、前記ランプ端子の自由端部の間隔寸法が、前記ランプ側の前記ランプ端子の間隔寸法よりも広い間隔寸法に設けられていることを特徴とする請求項１、２又は３記載の照光式スイッチ装置。
【発明の詳細な説明】
【０００１】
【発明の属する技術分野】
本発明は、照光式スイッチ装置に関し、特に、車載用のパワーウインド装置のウインドの開閉操作に用いて好適な照光式スイッチ装置に関する。
【０００２】
【従来の技術】
従来の照光式スイッチ装置について図面を用いて説明する。
図６は、従来の照光式スイッチ装置を示す側面図、図７は、図６からつまみを外した状態を示す側面図である。
図６、図７に示すように、照光式スイッチ装置Ｃのスイッチ部１１は、ガラス入りエポキシ樹脂材料などの合成樹脂材料から成り、成型加工にて略箱形に形成されたケース１１ａと、ケース１１ａに収納された固定接点（図示せず）、及び可動接点（図示せず）と、ケース１１ａの上面側に軸支され、揺動する操作部材１１ｂと、前記固定接点（図示せず）に接続され、Ｌ字状の複数本（例えば、６本）のスイッチ端子１１ｃとを備えている。
【０００３】
また、ケース１１ａは、上ケース１１ｄと、下ケース１１ｅとで構成され、上ケース１１ｄと下ケース１１ｅとは、例えば、スナップイン係合など適宜手段で係止され、一体化されている。また、スイッチ端子１１ｃは、下ケース１１ｅの側壁から外方に突出し、略Ｌ字状に設けられている。また、操作部材１１ｂには、後述する透光部１５ｂを有するつまみ１５が、係止されている。
【０００４】
プリント配線基板１２は、例えば、ガラス入りエポキシ樹脂材料などの合成樹脂材料から成り、平板状に形成され、少なくとも一方の面側（例えば、裏面側）に、所定の形状を有する配線パターン（図示せず）が設けられている。
【０００５】
また、プリント配線基板１２は、複数個（例えば、６個）のスイッチ端子孔１２ａと、円形の複数組（個）（例えば、一組が２個で、二組で合計４個）の貫通孔１２ｂとを有している。このスイッチ端子孔１２ａと貫通孔１２ｂとの周囲には、配線パターンが配置されている。この一組の貫通孔１２ｂの間隔寸法は、寸法Ｌ１に設けられている。
【０００６】
このプリント配線基板１２のスイッチ端子孔１２ａには、スイッチ部１１のスイッチ端子１１ｃが挿通され、このときプリント配線基板１２上にスイッチ部１１の下ケース１１ｅの底面が載置される。また、スイッチ端子１１ｃの先端部は、配線パターン（図示せず）に半田付けされている。
【０００７】
保持部材１３は、例えば、フェノール樹脂材料などの合成樹脂材料から成り、成形加工され、略矩形に形成されている。また、保持部材１３は、矩形の一対（２個）の挿通孔１３ａを有している。この挿通孔１３ａは、保持部材１３の上面側から下面側に貫通され、また、一対の挿通孔１３ａの間隔寸法は、寸法Ｌ１に設けられている。
【０００８】
この保持部材１３は、プリント配線基板１２上のスイッチ部１１の近傍に載置され、このとき挿通孔１３ａと、プリント配線基板１２の貫通孔１２ｂとは、各孔１２ｂ、１３ａの各中心軸が一致するように配置されている。
【０００９】
ランプ１４は、例えば、発光素子（ＬＥＤ）などから成る照光部１４ａと、照光部１４ａから外方に突出している平行な一対のランプ端子１４ｂとを有している。この一対のランプ端子１４ｂの間隔寸法は、寸法Ｌ１に設けられ、この寸法Ｌ１の間隔で照光部１４ａからランプ端子１４ｂの自由端部（先端部）までが均一な等間隔となっている。
また、一対のランプ端子１４ｂには、クランク状の折り曲げ部１４ｃが形成されている。このランプ１４は、ランプ端子１４ｂが平行な状態で、保持部材１３の挿通孔１３ａとプリント配線基板１２の一組の貫通孔１２ｂとに挿通され、先端部は、配線パターン（図示せず）に半田付けされている。
【００１０】
即ち、ランプ端子１４ｂは、保持部材１３によって、プリント配線基板１２上に保持されている。このとき照光部１４ａは、スイッチ部１１の操作部材１１ｂの近傍まで延設して配置され、また、折り曲げ部１４ｃは、スイッチ部１１の上ケース１１ｄの近傍に配置されている。この状態では、照光部１４ａと保持部材１３の挿通孔１３ａとの間の寸法は、折り曲げ部１４ｃを含んで比較的長いものとなっており、照光部１４ａの支持が不安定である。
【００１１】
つまみ１５は、例えば、絶縁成形材料から成り、成形加工され、不透明な押圧部１５ａと、押圧部１５ａの所望の箇所に設けられ、透明、又は半透明の絶縁成形材料から成る透光部１５ｂと、裏面側に設けられた略矩形の凹部１５ｃとを有している。このつまみ１５は、凹部１５ｃがケース１１ａの操作部材１１ｂに適宜手段にて係止され、つまみ１５とケース１１ａとが一体化されている。
【００１２】
そして、照光部１４ａは、つまみ１５の透光部１５ｂの底面側の近傍に配置され、照光部１４ａの照光で、透光部１５ｂは、明るく照らし出され、透光部１５ｂが、浮き立つように表示される。
【００１３】
このような構成の照光式スイッチ装置Ｃは、筐体１６内に適宜手段にて、収納・配置されている。この状態のとき、つまみ１５は、筐体１６に設けられた開口部１６ａから外方に突出して配置されている。
【００１４】
ここで、この照光式スイッチ装置Ｃの動作について説明する。
この照光式スイッチ装置Ｃは、つまみ１５の押圧部１５ａを押圧して、つまみ１５を揺動すると、つまみ１５に係合された操作部材１１ｂが駆動される。この操作部材１１ｂの駆動によって、可動接点が固定接点に接離して、接点の切り換え（オン・オフ）が成される。
【００１５】
また、この照光式スイッチ装置Ｃのランプ１４は、例えば、車両（自動車）のヘッドランプ（図示せず）を点灯する際に、同時に照光されるように配置されている。
【００１６】
【発明が解決しようとする課題】
このような、従来の照光式スイッチ装置Ｃは、ランプ１４を保持部材１３によって保持していることから、この保持部材１３が必要となり、構成部品数が増加し、また、プリント配線基板１２上に保持部材１３を配置するスペースを必要とすることから照光式スイッチ装置が大型化するという問題がある。
【００１７】
また、保持部材１３の上端面から照光部１４ａまでのランプ端子１４ｂの長さ寸法が、長いことから、ランプ端子１４ｂが照光式スイッチ装置Ｃの振動によって、ふらつきを生じ、このふらつきで照光部１４ａの透光部１５ｂへの照光が振れて安定しないという問題がある。
【００１８】
また、プリント配線基板１２の一組の貫通孔１２ｂの間隔寸法Ｌ１と、ランプ１４の一対のランプ端子１４ｂの間隔寸法Ｌ１とは、同一寸法に設けられていることから、ランプ端子１４ｂを貫通孔１２ｂに挿通する際に、ランプ端子１４ｂが貫通孔１２ｂ内に容易に挿通出来るが、ランプ１４の照光部１４ａのプリント配線基板１２からの高さ寸法に対しての位置決めがし難く、よって、プリント配線基板１２上のランプ１４の照光部１４ａの高さ寸法が定まらず、また、ランプ端子１４ｂの間隔寸法Ｌ１は、狭いことからランプ１４の支持が不安定になるという問題がある。
【００１９】
そこで、本発明の照光式スイッチ装置は、上述の問題点を解決するもので、その目的は、部品点数が少なく、つまみの透光部への照光が安定した照光式スイッチ装置を提供することである。
【００２０】
【課題を解決するための手段】
本発明の照光式スイッチ装置は、操作部材と、該操作部材に係止されたつまみと、内部に可動接点と固定接点を収納し、外部の上面側に操作部材を揺動可能に軸支し該上面側に一対の溝部を設けたケースと、該ケースから外方に突出したスイッチ端子とを有するスイッチ部と、照光部と一対のランプ端子を有するランプと、スイッチ端子と一対のランプ端子を接続するプリント配線基板とを備え、一対のランプ端子の中間部分にはそれぞれ、クランク状に折り曲げられた折り曲げ部が設けられ、該折り曲げ部がケースの上面側に設けた一対の溝部にそれぞれ係止して支持されて、照光部がつまみの照光表示される箇所に対向した位置に配置されるようにして、ランプがケースの外側に取り付けられたことである。
【００２１】
また、本発明の照光式スイッチ装置は、つまみに透光部を設け、ランプの照光部を透光部の底面側の近傍に配置すると共に、照光部の照光で透光部を照光表示するようにしたことである。
【００２２】
また、本発明の照光式スイッチ装置は、ケースの溝部が、ケースの側端部に設けられていることである。
【００２３】
また、本発明の照光式スイッチ装置は、一対のランプ端子は、ランプ端子の自由端部の間隔寸法が、ランプ側のランプ端子の間隔寸法よりも広い間隔寸法に設けられていることである。
【００２４】
【発明の実施の形態】
以下、本発明の照光式スイッチ装置について、図面を用いて説明する。
図１は、本発明の照光式スイッチ装置の実施の形態を示す正面図、図２は、図１からつまみを外した状態を示す側面図、図３は、本発明の照光式スイッチ装置のスイッチ部とプリント配線基板との実施の形態を示す正面図、図４は、図３の側面図である。
【００２５】
図１〜図４に示すように、照光式スイッチ装置Ａのスイッチ部１は、ガラス入りエポキシ樹脂材料などの絶縁性合成樹脂材料から成り、成型加工にて略箱形に形成されたケース１ａと、ケース１ａに収納された固定接点（図示せず）、及び可動接点（図示せず）と、ケース１ａの上面側に軸支され、揺動する操作部材１ｂと、前記固定接点（図示せず）に接続（延設）され、Ｌ字状の複数本（例えば、６本）のスイッチ端子１ｃとを備えている。
【００２６】
また、ケース１ａは、上ケース１ｄと、下ケース１ｅとで構成され、上ケース１ｄと下ケース１ｅとは、例えば、スナップイン係合など適宜手段で係止され、一体化されている。また、スイッチ端子１ｃは、下ケース１ｅの側壁から外方に突出し、略Ｌ字状に設けられている。また、操作部材１ｂには、後述する透光部４ｂを有するつまみ４が、係止されている。
【００２７】
また、上ケース１ｄの上面側であって、対向する側端面１ｆ、１ｆには、それぞれ平行に設けられた一対の溝部１ｇが設けられ、この溝部１ｇの間隔寸法は、寸法Ｌ１になっている。また、溝部１ｇは、上ケース１ｄの上面側から、下面側に所定の深さ寸法に設けられている。
【００２８】
プリント配線基板２は、例えば、ガラス入りエポキシ樹脂材料などの合成樹脂材料から成り、平板状に形成され、少なくとも一方の面側（例えば、裏面側）に、所定の形状を有する配線パターン（図示せず）が設けられている。
【００２９】
また、プリント配線基板２は、複数個（例えば、６個）のスイッチ端子孔２ａと、円形の複数組（個）（例えば、一組が２個で、二組で合計４個）の貫通孔２ｂとを有している。このスイッチ端子孔２ａと貫通孔２ｂとの周囲には、配線パターンが配置されている。この一組の貫通孔２ｂの間隔寸法は、寸法Ｌ２に設けられ、この寸法Ｌ２は、溝部１ｇの間隔寸法Ｌ１より大きく（Ｌ２＞Ｌ１）設けられている。
【００３０】
このプリント配線基板２のスイッチ端子孔２ａには、スイッチ部１のスイッチ端子１ｃが挿通され、このときプリント配線基板２上にスイッチ部１の下ケース１ｅの底面が載置される。また、スイッチ端子１ｃの先端部は、配線パターン（図示せず）に半田付けされている。
【００３１】
ランプ３は、例えば、発光素子（ＬＥＤ）などから成る照光部３ａと、照光部３ａから外方に突出している一対のランプ端子３ｂとを有している。この一対のランプ端子３ｂの間隔寸法は、先端部（自由端部）側が略寸法Ｌ２であり、照光部（上端部）３ａ側が寸法Ｌ１（Ｌ２＞Ｌ１）であるように設けられている。
【００３２】
また、一対のランプ端子３ｂの略中間部分には、クランク状の折り曲げ部３ｃが形成されている。そして、折り曲げ部３ｃからランプ端子３ｂの先端部側に向かって、ランプ端子３ｂは、ハの字状に広げられており、このそれぞれの先端部は、プリント配線基板２の一組の貫通孔２ｂに挿通され、先端部は、配線パターン（図示せず）に半田付けされている。
【００３３】
この状態のとき、一対のランプ端子３ｂの折り曲げ部３ｃは、上ケース１ｄの一対の溝部１ｇ内にそれぞれ係止されて支持されている。このとき状態のときランプ端子３ｂの上端部は、上ケース１ｄから外方に突出され、また、照光部３ａは、スイッチ部１の操作部材１ｂの近傍に配置されている。このことから照光部３ａと溝部１ｇ内に係止された折り曲げ部３ｃとの間の長さ寸法は、比較的短い寸法となっている。
【００３４】
つまみ４は、例えば、絶縁成形材料から成り、成形加工され、不透明な押圧部４ａと、押圧部４ａの所望の箇所に設けられ、透明、又は半透明の絶縁成形材料から成る透光部４ｂと、裏面側に設けられた略矩形の凹部４ｃとを有している。このつまみ４は、凹部４ｃがケース１ａの操作部材１ｂに、例えば、スナップイン係合など適宜手段にて係止され、つまみ４とケース１ａとが一体化されている。
【００３５】
そして、照光部３ａは、つまみ４の透光部４ｂの底面側の近傍に配置され、照光部３ａの照光で、透光部４ｂは、明るく照らし出され、透光部４ｂが、浮き立つように表示される。
【００３６】
このような構成の照光式スイッチ装置Ａは、例えば、合成樹脂材料から成る筐体５内に適宜手段にて、収納・配置されている。この状態のとき、つまみ４は、筐体５に設けられた開口部５ａから外方に突出して配置されている。
【００３７】
ここで、この照光式スイッチ装置Ａの動作について説明する。
この照光式スイッチ装置Ａは、つまみ４の押圧部４ａを押圧して、つまみ４を揺動すると、つまみ４に係合された操作部材１ｂが駆動（揺動）される。この操作部材１ｂの駆動によって、スイッチ部１の可動接点が固定接点に接離して、接点の切り換え（オン・オフ）が成される。
【００３８】
また、この照光式スイッチ装置Ａのランプ３は、例えば、車両（自動車）のヘッドランプ（図示せず）を点灯する際に、同時に照光されるように配置されている。
【００３９】
次に、本発明の照光式スイッチ装置の第２の実施の形態について説明する。図５は、本発明の照光式スイッチ装置の第２の実施の形態を示す正面図である。この照光式スイッチ装置において、第１の実施の形態と同一部品については、同一符号を付与し、詳細な説明は省略する。
【００４０】
この照光式スイッチ装置Ｂと第１の実施の形態の照光式スイッチ装置Ａとの差異は、照光式スイッチ装置Ａでは、ランプ４の照光部４ａによって照射・表示される箇所が、つまみ５の透光部５ｂであるのに対して、第２の実施の形態の照光式スイッチ装置Ｂでは、ランプ４の照光部４ａによって照射・表示される箇所が、筐体８の透光部８ｂとなる点である。
【００４１】
ここで、第２の実施の形態の照光式スイッチ装置について説明する。
図５に示すように、ケース１ａの操作部材１ｂには、外方に突出する断面が略台形状の凸部１ｈが設けられている。
つまみ７は、合成樹脂材料から成り、成形加工され、操作部７ｂと、操作部７ｂの一方の端部（根元側）に設けられた凹部７ａと、操作部７ｂの周囲に設けられた鍔部７ｃとを備えている。このつまみ７の凹部７ａには、ケース１ａの凸部１ｈが挿通され、例えば、接着剤（図示せず）など適宜手段にてケース１ａとつまみ７とが一体化されている。
【００４２】
筐体８は、例えば、絶縁性合成樹脂材料から成り、成形加工され、開口部８ａと、開口部８ａの近傍に設けられ、透明、又は半透明の絶縁成形材料から成る透光部８ｂとを有している。そして、この筺体８内には、照光式スイッチ装置Ｂが適宜手段にて、収納・配置されている。この状態のとき、つまみ７は、筐体８の開口部８ａから外方に突出して配置されている。
【００４３】
また、ランプ３の照光部３ａは、透光部８ｂの裏面側の近傍に配置され、照光部３ａの透光部８ｂへの照光で、透光部８ｂが浮き立つように表示される。
【００４４】
この照光式スイッチ装置Ｂの動作については、前述の第１の実施の形態の照光式スイッチ装置Ａの動作と同様であることから、説明は省略する。
【００４５】
【発明の効果】
以上のように、本発明の照光式スイッチ装置は、ランプ端子がケースに係止されていることから、従来の照光式スイッチ装置に設けられていたランプ端子を保持するための保持部材が不要で、部品点数が削減され、組み立てが簡単で、安価で、小型化された照光式スイッチ装置を提供することが出来る。
【００４６】
また、本発明の照光式スイッチ装置は、ランプ端子のクランク状の折り曲げ部がケースの溝部に係止され、支持されていることから、ランプは、ケースによって容易に位置決めが出来、ランプとプリント配線基板との配置が安定し、照光部と折り曲げ部との間の長さ寸法が比較的短い寸法であることから、照光部が振動を受けてもふらつかず、安定した透光部への照光をすることができるという効果を奏する。
【００４７】
また、本発明の照光式スイッチ装置は、ランプ端子の自由端部の間隔寸法が、前記ランプ側のランプ端子の間隔寸法よりも広い間隔寸法に設けられていることから、ランプ端子を貫通孔に挿通すると、ランプ端子が貫通孔を挟み込むように配置され、且つ、折り曲げ部がケースの溝部に圧接されて配置されることから、ランプがプリント配線基板とケースとにそれぞれ強固に取り付けられ、よって、ランプの取り付けが安定する。
【図面の簡単な説明】
【図１】本発明の照光式スイッチ装置の実施の形態を示す正面図である。
【図２】図１からつまみを外した状態を示す側面図である。
【図３】本発明の照光式スイッチ装置のスイッチ部とプリント配線基板との実施の形態を示す正面図である。
【図４】図３の側面図である。
【図５】本発明の照光式スイッチ装置の第２の実施の形態を示す正面図である。
【図６】従来の照光式スイッチ装置を示す正面図である。
【図７】図６からつまみを外した状態を示す側面図である。
【符号の説明】
１    スイッチ部
１ａ  ケース
１ｂ  操作部材
１ｃ  スイッチ端子
２    プリント配線基板
２ａ  スイッチ端子孔
２ｂ  貫通孔
３    ランプ
３ａ  照光部
３ｂ  ランプ端子
３ｃ  折り曲げ部
４    つまみ
４ａ  押圧部
４ｂ  透光部
５    筺体
５ａ  開口部
【図１】
0003765683.tif 000002
【図２】
0003765683.tif 000003
【図３】
0003765683.tif 000004
【図４】
0003765683.tif 000005
【図５】
0003765683.tif 000006
【図６】
0003765683.tif 000007
【図７】
0003765683.tif 000008